【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
安全なインターネット取引を構築するための方法であって、
前記方法は、
安全なウェブ・サイトによって生成されたウェブ・サイト・フォームに記入するため、クライアント・デバイスにユーザ識別名（ユーザＩＤ）およびパスワードを受信するステップと、
前記ユーザのインターネット・プロトコル（ＩＰ）アドレスを、前記ユーザが本人証明しようとする前記安全なウェブ・サイトに維持されている、別のパスワードに連結するステップと、
前記連結されたユーザＩＰおよび別のパスワードを暗号化してインターネット・プロトコル・パスワード（ＩＰＰＷ）を形成するステップであって、前記暗号化は、所定のサイクル・カウントを使い、クライアント・デバイスの線形帰還シフト・レジスタ（ＬＦＳＲ）を用いて実行される、前記形成するステップと、
前記ＩＰＰＷ、前記所定のサイクル・カウント、および前記ユーザＩＤから成るトランザクションを構築するステップと、
前記トランザクションおよび記入済みウェブ・サイト・フォームをネットワーク経由で前記安全なウェブ・サイトに送信するステップと、
を含み、
前記安全なウェブ・サイトは、前記送信されたトランザクションおよび記入済みウェブ・サイト・フォームの受信に応えて、
前記受信されたウェブ・サイト・フォームの前記ユーザＩＤを用いてテーブルからセキュアＬＦＳＲを読み出すステップと、
前記セキュアＬＦＳＲ中の開始ポイントとして前記ＩＰＰＷを用い、前記所定のサイクル・カウントを使って前記ＩＰＰＷを解読するステップであって、前記セキュアＬＦＳＲは、前記所定のサイクル・カウントからのサイクル数を使って意図されたレジスタ状態に戻される解読を行う、前記解読するステップと、
前記解読されたＩＰＰＷのＩＰ部分が前記ユーザのＩＰアドレスと等しいかどうかを判定するステップと、
前記解読されたＩＰＰＷの前記ＩＰ部分が前記ユーザのＩＰアドレスと等しい場合は、前記安全なウェブ・サイトが次いで前記ユーザから取引データを要求するステップと、
を実施する、前記方法。
【請求項２】
前記解読されたＩＰＰＷの前記ＩＰ部分が前記ユーザのＩＰアドレスと等しくない場合は、前記安全なウェブ・サイトは不正認証画策が行われたと判定し、前記安全なウェブ・サイトが前記取引に応じない、請求項１に記載の方法。
【請求項３】
前記不正認証画策は当局に報告される、請求項２に記載の方法。
【請求項４】
前記ネットワークはインターネットである、請求項１に記載の方法。
【請求項５】
乱数ジェネレータを使って前記所定のサイクル・カウントが生成される、請求項１に記載の方法。
【請求項６】
前記ウェブ・サイト・フォームを記入するためのグラフィカル・ユーザ・インタフェース（ＧＵＩ）が設定される、請求項１に記載の方法。
【請求項７】
コンピュータによって実行されたとき、安全なインターネット取引を構築するための方法を可能にする命令群を包含する、一つ以上のコンピュータ可読記憶媒体を含む製品であって、
前記方法は、
安全なウェブ・サイトによって生成されたウェブ・サイト・フォームに記入するため、クライアント・デバイスにユーザ識別名（ユーザＩＤ）およびユーザ・パスワードを受信するステップと、
前記ユーザのインターネット・プロトコル（ＩＰ）アドレスを、前記ユーザが本人証明しようとする前記安全なウェブ・サイトに維持されている、別のパスワードに連結するステップと、
前記連結されたユーザＩＰおよび別のパスワードを暗号化してインターネット・プロトコル・パスワード（ＩＰＰＷ）を形成するステップであって、前記暗号化は、所定のサイクル・カウントを使い、クライアント・デバイスの線形帰還シフト・レジスタ（ＬＦＳＲ）を用いて実行される、前記形成するステップと
前記ＩＰＰＷ、前記所定のサイクル・カウント、および前記ユーザＩＤから成るトランザクションを構築するステップと、
前記トランザクションおよび記入済みウェブ・サイト・フォームをネットワーク経由で前記安全なウェブ・サイトに送信するステップと、
をさらに含み、
前記安全なウェブ・サイトは、前記送信されたトランザクションおよび記入済みウェブ・サイト・フォームの受信に応えて、
前記受信されたウェブ・サイト・フォームの前記ユーザＩＤを用いてテーブルからセキュアＬＦＳＲを読み出すステップと、
前記セキュアＬＦＳＲ中の開始ポイントとして前記ＩＰＰＷを用い、前記所定のサイクル・カウントを使って前記ＩＰＰＷを解読するステップであって、前記セキュアＬＦＳＲは、前記所定のサイクル・カウントからのサイクル数を使って意図されたレジスタ状態に戻される解読を行う、前記解読するステップと、
前記解読されたＩＰＰＷのＩＰ部分が前記ユーザのＩＰアドレスと等しいかどうかを判定するステップと、
前記解読されたＩＰＰＷの前記ＩＰ部分が前記ユーザのＩＰアドレスと等しい場合は、前記安全なウェブ・サイトが次いで前記ユーザから取引データを要求するステップと、
を実施する、前記製品。
【請求項８】
前記解読されたＩＰＰＷの前記ＩＰ部分が前記ユーザのＩＰアドレスと等しくない場合は、前記安全なウェブ・サイトは不正認証画策が行われたと判定し、前記安全なウェブ・サイトが前記取引に応じない、請求項７に記載の製品。
【請求項９】
前記不正認証画策は当局に報告される、請求項８に記載の製品。
【請求項１０】
前記ネットワークはインターネットである、請求項７に記載の製品。
【請求項１１】
乱数ジェネレータを使って前記所定のサイクル・カウントが生成される、請求項７に記載の製品。
【請求項１２】
前記ウェブ・サイト・フォームを記入するためのグラフィカル・ユーザ・インタフェース（ＧＵＩ）が設定される、請求項７に記載の製品。
【請求項１３】
安全なインターネット取引のためのシステムであって、
前記システムは、
ネットワークを介して一つ以上のクライアント・デバイスと連通する一つ以上のサーバ・デバイスを含み、
前記サーバ・デバイスおよび前記クライアント・デバイスは、電子ソフトウエアを実行するよう作られており、
前記電子ソフトウエアは、前記クライアントおよびサーバ・デバイスと信号連通している記憶媒体中に常駐しており、
前記電子ソフトウエアは、
前記一つ以上のサーバ・デバイス中のサーバにある安全なウェブ・サイトによって生成されたウェブ・サイト・フォームを記入するため、前記一つ以上のクライアント・デバイス中のクライアント・デバイスにユーザ識別名（ユーザＩＤ）およびユーザ・パスワードを受信し、
前記ユーザのインターネット・プロトコル（ＩＰ）アドレスを、前記ユーザが本人証明しようとする前記安全なウェブ・サイトに維持された、別のパスワードと連結し、
前記連結されたユーザＩＰおよび別のパスワードを暗号化してインターネット・プロトコル・パスワード（ＩＰＰＷ）を形成し、
前記暗号化は、所定のサイクル・カウントを使い、クライアント・デバイスの線形帰還シフト・レジスタ（ＬＦＳＲ）を用いて実行され、
前記ＩＰＰＷ、前記所定のサイクル・カウント、および前記ユーザＩＤから成るトランザクションを構築し、
前記トランザクション、および記入済みウェブ・サイト・フォームを前記ネットワーク経由で前記安全なウェブ・サイトに送信する、
よう構成された一連の命令を含み、
前記送信されたトランザクションおよび記入済みウェブ・サイト・フォームの受信に応えて、前記安全なウェブ・サイトは、
前記受信されたウェブ・サイト・フォームの前記ユーザＩＤを用いてテーブルからセキュアＬＦＳＲを読み出すステップと、
前記セキュアＬＦＳＲ中の開始ポイントとして前記ＩＰＰＷを用い、前記所定のサイクル・カウントを使って前記ＩＰＰＷを解読するステップであって、前記セキュアＬＦＳＲは、前記所定のサイクル・カウントからのサイクル数を使って意図されたレジスタ状態に戻される解読を行う、前記解読するステップと、
前記解読されたＩＰＰＷのＩＰ部分が前記ユーザのＩＰアドレスと等しいかどうかを判定するステップと、
前記解読されたＩＰＰＷの前記ＩＰ部分が前記ユーザのＩＰアドレスと等しい場合は、前記安全なウェブ・サイトが次いで前記ユーザから取引データを要求するステップと、
を実施する、前記システム。
【請求項１４】
前記解読されたＩＰＰＷの前記ＩＰ部分が前記ユーザのＩＰアドレスと等しくない場合は、前記安全なウェブ・サイトは不正認証画策が行われたと判定し、前記安全なウェブ・サイトが前記取引に応じない、請求項１３に記載のシステム。
【請求項１５】
前記不正認証画策は当局に報告される、請求項１４に記載のシステム。
【請求項１６】
前記ネットワークはインターネットである、請求項１３に記載のシステム。
【請求項１７】
乱数ジェネレータを使って前記所定のサイクル・カウントが生成される、請求項１３に記載のシステム。
【請求項１８】
前記ウェブ・サイト・フォームを記入するためのグラフィカル・ユーザ・インタフェース（ＧＵＩ）が設定される、請求項１３に記載のシステム。